【事件の表示】
　特願２００３−５８９７４「無線音声信号受信モジュールを配置したコンピュータ装置」拒絶査定不服審判事件〔平成１６年８月１９日出願公開，特開２００４−２３４６０４〕について，次のとおり審決する。
【結　論】
　本件審判の請求は、成り立たない。
【理　由】
第１．手続の経緯
　
　本願は，平成１５年３月５日（パリ条約による優先権主張２００３年１月２９日，（ＴＷ））の出願であって，平成１８年３月１０日付けで拒絶査定がなされ，これに対して同年６月１２日に拒絶査定に対する審判が請求され，同月２８日付けで手続補正がなされたものである。 
　
　
第２．平成１８年６月２８日付け手続補正についての補正却下の決定
　
［補正却下の決定の結論］
　
　平成１８年６月２８日付け手続補正（以下，「本件補正」という。）を却下する。
　
［補正却下の決定の理由］
　
１．本件補正の内容
　
　本件補正は，特許請求の範囲の請求項１及び２を，以下のとおり補正することを含むものである。
　
「【請求項１】　コンピュータ装置にサウンドインタフェースが設けられてコンピュータ装置のバスに接続され，該サウンドインタフェースに音声周波信号入力端が設けられた無線音声信号受信モジュールを配置したコンピュータ装置において，
　該サウンドインタフェースの音声周波信号入力端が無線音声信号受信モジュールに接続されて少なくとも一つの無線音声信号発射装置の発射した無線信号を受信し，該無線音声信号受信モジュールにモード選択装置が設けられ，該モード選択装置が音声入力モードに設定される時，受信した無線信号が該サウンドインタフェースに送られて音声信号とされ，該モード選択装置が命令入力モードに設定される時，受信した無線信号がコンピュータ装置に送られて命令信号とされ，
　該無線音声信号受信モジュールが，
　無線音声信号発射装置の発射した無線信号をアンテナ装置を介して受信する無線信号受信回路と，
　該無線信号受信回路の受信した無線信号をろ波及び増幅するろ波及び増幅回路と，
　該ろ波及び増幅回路の送出する音声信号を復調し，並びに復調後の信号をモード選択装置に送る信号復調回路と，
　該モード選択装置の送出する命令信号を増幅し並びにコンピュータ装置のバスに送る命令信号増幅回路と，
　該モード選択装置の送出する音声信号を増幅し並びにコンピュータ装置のサウンドインタフェースに送る音声信号増幅回路と，
　を具えたことを特徴とする，無線音声信号受信モジュールを配置したコンピュータ装置。
　
【請求項２】　請求項１に記載の無線音声信号受信モジュールを配置したコンピュータ装置において，該無線音声信号受信モジュールが信号復調回路に接続されて信号復調回路の復調した音声信号を固定チャンネル或いは周波数調整式となすチューナーを具えたことを特徴とする，無線音声信号受信モジュールを配置したコンピュータ装置。」
　
　上記補正のうち，請求項２についての補正は，本件補正前の請求項１を削除したことに伴い補正前の請求項３の項番を１繰上げ，さらに補正前の請求項３に記載した「無線音声信号受信モジュール」について，「該無線音声信号受信モジュールが，無線音声信号発射装置の発射した無線信号をアンテナ装置を介して受信する無線信号受信回路と，該無線信号受信回路の受信した無線信号をろ波及び増幅するろ波及び増幅回路と，該ろ波及び増幅回路の送出する音声信号を復調し，並びに復調後の信号をモード選択装置に送る信号復調回路と，該モード選択装置の送出する命令信号を増幅し並びにコンピュータ装置のバスに送る命令信号増幅回路と，該モード選択装置の送出する音声信号を増幅し並びにコンピュータ装置のサウンドインタフェースに送る音声信号増幅回路と，を具えた」との限定を付加するものであるから，特許法第１７条の２第４項第２号の特許請求の範囲の限縮を目的とするものに該当する。
　
　そこで，本件補正後の請求項２に記載された発明（以下，「本願補正発明」という。）が，特許出願の際独立して特許を受けることができるものであるか（特許法第１７条の２第５項において準用する同法第１２６条第５項の規定に適合するか）について，以下検討する。
　
　
２．引用刊行物に記載された発明 
　
　原査定の拒絶の理由に引用された，本願の優先日前である平成１４年３月２９日に頒布された刊行物である「特開２００２−９１７５４号公報」（以下「引用刊行物」という。）には，図面とともに以下のような記載がある。
　
「【０００４】本発明の目的は，このような従来技術の問題に鑑み，１台のコンピュータで複数作業者の対応を可能とするとともに，作業者の装着負担を軽減する作業支援コンピュータ操作装置やシステムを提供することにある。
【０００５】
【課題を解決するための手段】本発明は，複数の作業者（操作者）からの発声を，音声受信部およびミキサ部等を介してコンピュータ部に入力可能としたうえで，特定のグラフィカルユーザインタフェースの操作に該当する発声かを識別する音声認識部と，その認識結果に基づきコンピュータにグラフィカルユーザインタフェースを操作する情報を出力する操作部により，複数の作業者が同一のコンピュータを操作し，業務に必要な映像や音声，データ入出力などの情報支援を受けることを可能としたものである。
【０００６】これにより，作業者はマイク部，音声送信部，ワイヤレスマイク部などを身につけるのみでよく，コンピュータのＣＰＵ，記憶装置およびそのための電源装置を装着する必要がなくなるため，作業者の装着負担を軽減することができる。
【０００７】
【発明の実施の形態】以下，本発明の一実施例を図面により説明する。図１は本発明の一実施例の全体構成図を示したものである。これは，多数の作業者（操作者）が例えば梱包等の作業を行い，異常等がみつかった場合，各作業者が音声により，作業者の撮影した映像のフィルム化，作業記録等をアプリケーシヨンに操作指示する実施例である。
【０００８】図１において，１は作業者の音声を電気信号に変換するマイク部，２はこれを無線送信する音声送信部であり，複数の作業者がそれぞれ装着する。各作業者が発声した音声は，これらマイク部１，音声送信部２を介してそれぞれ無線送信される。３は音声受信部であり，音声送信部２と一対一に対応し，それぞれ対応する音声送信部２からの音声信号を受信する。４はミキサ部であり，複数の音声受信部３からの音声信号を入力して加算する処理を行い，制御用コンピュータ部２００に該加算した信号を出力するとともに，制御用コンピュータ２００からの制御用信号に基づき，情報支援コンピュ−タ部１００に出力する音声信号を選択する処理を行う。
【０００９】５はワイヤレスカメラ部であり，各作業者がそれぞれ装着し，作業者が撮影した画面の映像信号を無線送信する。６はワイヤレスカメラ映像受信部であり，ワイヤレスカメラ部５と一対一に対応し，それぞれ対応するワイヤレスカメラ部５からの映像信号を受信する。７は工場内等を撮影するカメラ部である。８は映像選択部であり，複数のワイヤレスカメラ映像受信部６およびカメラ部７からの映像信号を入力するとともに，制御用コンピュータ部２００からの制御用信号に基づき，該映像信号を選択し，情報支援コンピュ−タ部１００に選択した映像信号を出力する処理を行う。
【００１０】情報支援コンピュータ部１００は，内部に，ミキサ部４からの音声出力信号が，特定のグラフィカルユーザインタフェースの操作に該当する発声かを判断（識別）する音声認識部や，認識結果に基づきグラフィカルユーザインタフェースを操作する情報を出力する操作部を具備するとともに，映像選択部８からの映像信号やミキサ部４からの音声信号について，グラフィカルユーザインタフェースにより操作可能な各種情報支援コンピュータアプリケーションを実行する処理を行う。
【００１１】制御用コンピュータ部２００は，内部に，ミキサ部４からの出力音声信号が，特定のグラフィカルユーザインタフェースの操作に該当する発声かを判断（識別）する音声認識部や，認識結果に基づきグラフィカルユーザインタフェースを操作する操作部２０２を具備するとともに，ミキサ部４に選択・加算する音声信号を制御する制御信号を送信し，映像選択部８に選択する映像信号を制御する制御信号を送信するための制御用コンピュータアプリケーションを実行する処理を行う。
【００１２】上記ミキサ部４，映像選択部８，情報支援コンピュ−タ部１００および制御用コンピュータ部２００の構成については後述する。
【００１３】９はプロジエクタ部であり，情報支援コンピュ−タ部１００の出力画面を映写する。１０はスクリーンであり，プロジエクタ部９の映像が映し出される部分である。
【００１４】１１は出力結果送信部であり，情報支援コンピュータ部１００の出力画面信号を無線送信する処理および，出力音声信号を無線送信する処理を行う。１２は出力結果受信・出力部であり，出力結果送信部１１より無線送信された情報支援用コンピュータ１００の出力画面信号を無線受信する処理および，出力音声信号を無線受信する処理，ならびに，これらを映像，音声として出力する処理を行う。出力結果送信部１１と出力結果受信・出力部１２を対応する機器として，ＲＦ無線やＳＳ無線による映像音声送受信機，あるいはＵＨＦやＢＳなどの無線により無線送信し，携帯型テレビ等の機器の利用により映像・音声を受信・出力することが可能である。
【００１５】以下，図１の全体的動作を説明する。作業者が発声した音声は，マイク部１，音声送信部２および音声受信部３を介してミキサ部４に音声信号として入力される。複数の作業者からの音声信号も同様にしてミキサ部４に音声信号として入力される。これらの音声信号は，ミキサ部４で加算処理され，制御用コンピュータ部２００に入力される。制御用コンピュータ部２００では，ミキサ部４からの音声信号が，特定のグラフィカルユーザインタフェースの操作に該当する発声かを判断し，その認識結果に基づきグラフィカルユーザインタフェースを操作して，ミキサ部４に音声信号を選択する選択する制御信号を送信し，映像選択部８に映像信号を選択する制御信号を送信する。ミキサ部４では制御用コンピュータ部２００からの制御信号に基づき加算する音声信号を選択し，情報支援コンピュ−タ部１００に出力する。
【００１６】作業者が撮影する映像は，ワイヤレスカメラ部５およびワイヤレスカメラ映像受信部６を介して映像選択部８に映像信号として入力される。複数の作業者からの映像信号も同様にして，映像選択部８に映像信号として入力される。また，固定されたカメラ部７の映像も映像選択部８に映像信号として入力される。映像選択部８では，これらの映像信号のなかから所定の映像信号を，制御用コンピュータ部２００からの制御用信号に基づき選択して，これを情報支援コンピュータ部１００へ送出する。
【００１７】情報支援コンピュータ部１００では，ミキサ部４からの出力声音信号が，特定のグラフィカルユーザインタフェースの操作に該当する発声かを判断し，その認識結果に基づきグラフィカルユーザインタフェースを操作して，該グラフィカルユーザインタフェースにより操作可能な各種情報支援コンピュータアプリケーションを実行する。例えば，映像選択部８から入力される映像信号をもとに，作業者の撮影した映像をファイル化し，また，作業者が音声で入力する撮影時刻，撮影者等をもとに作業内容を記録する情報支援アプリケーションを実行する。他には，作業のやり方を示したマニュアルを表示する情報支援アプリケーション，作業者が撮影した音声や映像をネッワークを介して他のコンピュータと送受信する情報支援アプリケーションなどが，例としてあげられる。また，グラフィカルユーザインタフェースにより操作可能な種々の情報支援アプリケーションを，多数の作業者が操作することが可能である。
【００１８】情報支援コンピュータ部１００からの出力画面および出力音声信号は，プロジェクタ部９に入力され，画像はスクリーン１０に映写されるとともに，出力音声信号はプロジェクタ部９に内蔵された音声出力部より出力される。また，情報支援コンピュータ部１００の出力画面および出力音声信号は，出力結果送信部１１を介して作業者が装備する出力結果・出力部１２に出力される。」（段落【０００４】〜【００１８】）
　
　
　したがって，引用刊行物には，以下の発明（以下，「引用発明」という。）が記載されている。  
　
「マイク部，音声送信部，音声受信部，ミキサ部，情報支援コンピュータ部，制御用コンピュータ部を備えるシステムであって，
複数の作業者は，音声を電気信号に変換するマイク部と，この電気信号を無線送信する音声送信部とをそれぞれ装着し，
各作業者が発声した音声は，マイク部，音声送信部を介してそれぞれ無線送信され，
音声受信部は，それぞれ対応する音声送信部からの音声信号を受信し，
ミキサ部は，複数の音声受信部からの音声信号を入力して加算する処理を行うとともに，制御用コンピュータからの制御用信号に基づき，情報支援コンピュ−タ部に出力する音声信号を選択する処理を行い，
情報支援コンピュータ部では，ミキサ部からの出力声音信号が，特定のグラフィカルユーザインタフェース（以下，「ＧＵＩ」という。）の操作に該当する発声かを判断し，その認識結果に基づきＧＵＩを操作して，該ＧＵＩにより操作可能な各種情報支援コンピュータアプリケーション，例えば，
入力される映像信号をもとに，作業者の撮影した映像をファイル化し，また，作業者が音声で入力する撮影時刻，撮影者等をもとに作業内容を記録する情報支援アプリケーション，
作業者が撮影した音声や映像をネッワークを介して他のコンピュータと送受信する情報支援アプリケーション，
などを実行する，
システム。」
　
　
３．対比 
　
　本願補正発明と引用発明とを対比する。 
　
 　引用発明の「情報支援コンピュータ部」は，本願補正発明の「コンピュータ装置」に相当する。
　
　引用発明の「音声送信部」は，マイク部が電気信号に変換した作業者の音声を無線送信し，また，複数の作業者がそれぞれ装着するものであるから，本願補正発明における「少なくとも一つの無線音声信号発射装置」に相当する。
　
　引用発明の「音声受信部」は，無線音声信号発射装置（音声送信部）から無線送信された信号を受信するものであって，該信号をアンテナ装置を介して受信することは明らかであるから，本願補正発明における「無線音声信号発射装置の発射した無線信号をアンテナ装置を介して受信する無線信号受信回路」に相当する。
　
　引用発明のコンピュータ装置（情報支援コンピュータ部）において，無線音声信号発射装置（音声送信部）から無線信号受信回路（音声受信部）へ無線送信された信号を，ミキサ部を介して受信することは，本願補正発明において，「少なくとも一つの無線音声信号発射装置の発射した無線信号を受信」することに相当する。
　
　引用発明のミキサ部に入力されて加算処理される音声信号は，無線信号受信回路（音声受信部）が受信した信号から復調されたものであることは明らかであるから，引用発明の「音声受信部」は，「音声信号を復調」する点において，本願補正発明の「信号復調回路」と一致するといえる。
　
　本願補正発明は，信号復調回路が復調後の信号をモード選択装置に送り，該モード選択装置が命令入力モードに設定される時，受信した無線信号がコンピュータ装置に送られて命令信号とされ，命令信号増幅回路が，該モード選択装置の送出する命令信号を増幅し並びにコンピュータ装置のバスに送るものである。
　ここで，本願補正発明には，モード選択装置において，復調後の信号が音声信号／命令信号のどちらであるかを信号そのものから識別することや，経路選択以外の点で命令信号に特有の処理を行うことは記載されておらず，また発明の詳細な説明の段落【００１９】には，「デコード済の音声信号はモード選択装置２７に送られて経路の選択が行われる。モード選択装置２７が音声入力モードに設定される時，音声信号は音声信号の経路に送られ，音声信号増幅回路２８１に送られた後，音声信号Ｓ１が送出される。モード選択装置２７が命令入力モードに設定される時，音声信号は命令信号の経路に送られ，命令信号増幅回路２８２に送られた後に，命令信号Ｓ２が送出される。」と記載されているから，本願補正発明の「モード選択装置」は，設定されるモードに応じて単に信号の経路を選択する装置であって，「命令信号」は，コンピュータ装置側において命令として処理される信号を意味するものと解される。
　同様に，本願補正発明の「音声信号」は，コンピュータ装置側において音声として処理される信号を意味するものと解される。
　一方，引用発明のコンピュータ装置（情報支援コンピュータ部）は，ミキサ部からの出力声音信号が，特定のＧＵＩの操作に該当する発声かを判断し，その認識結果に基づきＧＵＩを操作して，該ＧＵＩにより操作可能な各種情報支援コンピュータアプリケーション，例えば，作業者が音声で入力する撮影時刻，撮影者等をもとに作業内容を記録するものや，作業者が撮影した音声や映像をネッワークを介して他のコンピュータと送受信するもの，を実行するから，ミキサ部からコンピュータ装置へ出力される出力声音信号が，ＧＵＩの操作に該当する発声，すなわちコンピュータ装置側で命令として処理される信号（命令信号）と，撮影時刻や撮影者を入力する声音，すなわちコンピュータ装置側で音声として処理される信号（音声信号），の双方を含んでいることは明らかである。
　したがって，引用発明は，「受信した無線信号が」コンピュータ装置「に送られて音声信号とされ」る点，及び「受信した無線信号がコンピュータ装置に送られて命令信号とされ」る点において，本願補正発明と一致するものであり，また引用発明の「ミキサ部」は，復調された無線信号のうち「音声信号を」「コンピュータ装置」「に送る」「回路」である点で本願補正発明の「音声信号増幅回路」と一致するとともに，復調された無線信号のうち「命令信号を」「コンピュータ装置」「に送る」「回路」である点で本願補正発明の「命令信号増幅回路」と一致する。
　
　そして引用発明は，「少なくとも一つの無線音声信号発射装置の発射した無線信号を受信し，」「受信した無線信号が」コンピュータ装置「に送られて音声信号とされ，」「受信した無線信号がコンピュータ装置に送られて命令信号とされ，」かつ，「無線音声信号発射装置の発射した無線信号をアンテナ装置を介して受信する無線信号受信回路」と，「音声信号を復調」する「信号復調回路」と，「命令信号を」「コンピュータ装置」「に送る」「回路」と，「音声信号を」「コンピュータ装置」「に送る」「回路」とを具えた点において，本願補正発明の「該無線音声信号受信モジュール」と一致するモジュールを有するといえる。
　
　
　したがって，本願補正発明と引用発明は，以下の点で一致ないし相違する。
　
＜一致点＞  
「無線音声信号受信モジュールを配置したコンピュータ装置において，
　少なくとも一つの無線音声信号発射装置の発射した無線信号を受信し，受信した無線信号がコンピュータ装置に送られて音声信号とされ，受信した無線信号がコンピュータ装置に送られて命令信号とされ，
　該無線音声信号受信モジュールが，
　無線音声信号発射装置の発射した無線信号をアンテナ装置を介して受信する無線信号受信回路と，
　音声信号を復調する信号復調回路と，
　命令信号をコンピュータ装置に送る回路と，
　音声信号をコンピュータ装置に送る回路と，
を具えたことを特徴とする，無線音声信号受信モジュールを配置したコンピュータ装置。」である点。
　
　
＜相違点１＞
　本願補正発明においては，「コンピュータ装置にサウンドインタフェースが設けられてコンピュータ装置のバスに接続され，該サウンドインタフェースに音声周波信号入力端が設けられ」，「該サウンドインタフェースの音声周波信号入力端が無線音声信号受信モジュールに接続されて」無線音声信号発射装置の発射した無線信号を受信するのに対して，引用発明においては，「コンピュータ装置にサウンドインタフェースが設けられてコンピュータ装置のバスに接続され，該サウンドインタフェースに音声周波信号入力端が設けられ」，「該サウンドインタフェースの音声周波信号入力端が無線音声信号受信モジュールに接続されて」無線音声信号発射装置の発射した無線信号を受信することは記載されていない点。
　
＜相違点２＞
　本願補正発明の「無線音声信号受信モジュール」には，「モード選択装置が設けられ，」「該モード選択装置が音声入力モードに設定される時，」音声信号を送る回路において「該モード選択装置の送出する」音声信号を「増幅し並びに」コンピュータ装置「のサウンドインタフェース」に送り，受信した無線信号が「該サウンドインタフェース」に送られて音声信号とされ，一方，「該モード選択装置が命令入力モードに設定される時，」命令信号を送る回路において「該モード選択装置の送出する」命令信号を「増幅し並びに」コンピュータ装置「のバス」に送り，受信した無線信号がコンピュータ装置に送られて命令信号とされるのに対して，引用発明には，「無線音声信号受信モジュール」には，「モード選択装置が設けられ，」「該モード選択装置が音声入力モードに設定される時，」音声信号を送る回路において「該モード選択装置の送出する」音声信号を「増幅し並びに」コンピュータ装置「のサウンドインタフェース」に送り，受信した無線信号が「該サウンドインタフェース」に送られて音声信号とされ，一方，「該モード選択装置が命令入力モードに設定される時，」命令信号を送る回路において「該モード選択装置の送出する」命令信号を「増幅し並びに」コンピュータ装置「のバス」に送ることは記載されていない点。
　
＜相違点３＞
　本願補正発明の「無線音声信号受信モジュール」は，「該無線信号受信回路の受信した無線信号をろ波及び増幅するろ波及び増幅回路」を具え，信号復調回路において「該ろ波及び増幅回路の送出する」音声信号を復調し，「並びに復調後の信号をモード選択装置に送」り，さらに，「信号復調回路に接続されて信号復調回路の復調した音声信号を固定チャンネル或いは周波数調整式となすチューナーを具え」ているのに対して，引用発明には，「無線音声信号受信モジュール」は，「該無線信号受信回路の受信した無線信号をろ波及び増幅するろ波及び増幅回路」を具え，信号復調回路において「該ろ波及び増幅回路の送出する」音声信号を復調し，「並びに復調後の信号をモード選択装置に送」り，さらに，「信号復調回路に接続されて信号復調回路の復調した音声信号を固定チャンネル或いは周波数調整式となすチューナーを具え」ている，ことは記載されていない点。
　
　
４．当審の判断  
　
　上記相違点について検討する。
  
＜相違点１について＞
　ワイヤレスマイクから送信された無線音声信号を受信する回路と，コンピュータ装置のバスとの間に，音声信号を入力するためのインタフェースを設けることは周知（例えば，特開平７−４６１８４号公報の段落【００１０】〜【００１６】，【００２８】〜【００２９】には，ワイヤレス受信回路６７とバスライン２５の間に音声入出力回路２７を設けることが記載され，特開２００２−３５８１９５号公報の段落【００３５】〜【００３７】，【００３９】，【００４５】〜【００４６】には，送受信機４０とシステムバス２０ａの間にＩ／Ｏポート２８ａを設けることが記載されている。）であり，また当該インタフェースの設置箇所をコンピュータ装置とすることは設計的事項であるから，引用発明に周知技術を適用して，「コンピュータ装置にサウンドインタフェースが設けられてコンピュータ装置のバスに接続され，該サウンドインタフェースに音声周波信号入力端が設けられ」，「該サウンドインタフェースの音声周波信号入力端が無線音声信号受信モジュールに接続されて」無線音声信号発射装置の発射した無線信号を受信する構成とすることは，当業者が容易に想到し得たことである。
　
＜相違点２について＞
　本願補正発明には，命令信号増幅回路と，コンピュータ装置内のバス（実施例では「ＰＣＩ／ＩＳＡバス１２２」）との間の具体的な接続構造は明記されていないものの，実施例において，他の周辺機器（ディスプレイ１１４，オーディオビデオ１１６，ハードディスク１１８）全てが，個別に対応したインタフェースを介してバスと接続されていることから，命令信号増幅回路の内部，あるいは，命令信号増幅回路とバスとの間には，サウンドインタフェースとは異なるインタフェースが当然設けられており，本願補正発明における命令信号増幅回路において「命令信号を増幅し並びにコンピュータ装置のバスに送る」とは，命令信号を増幅し並びにサウンドインタフェースとは異なるインタフェースを介してコンピュータ装置のバスに送ることを意味するものと解される。
　
　また，共通の音声入力手段から入力された信号をコンピュータ装置に転送し，コンピュータ装置側で音声または命令として処理する際に，音声として処理される信号を転送するインタフェースと，命令として処理される信号を転送するインタフェースとを異なるものとし，インタフェースを選択的に動作させる手段を設けることは周知（例えば，特開平８−２４１０９８号公報の段落【０００２】〜【００１１】，【００２３】〜【００２８】，特開２００１−３３９５１９号公報の段落【０００１】，【００２２】，特開平８−３３９１９８号公報の段落【０００２】〜【０００９】，【００２９】，【００４２】〜【００５４】を参照。）であり，各転送経路に増幅回路を設けることは設計事項である。
　よって，引用発明及び周知技術に基づいて，「無線音声信号受信モジュール」に「モード選択装置」を設け，「該モード選択装置が音声入力モードに設定される時，」音声信号を送る回路にて「該モード選択装置の送出する」音声信号を「増幅し並びに」コンピュータ装置「のサウンドインタフェース」に送り，受信した無線信号が「該サウンドインタフェース」に送られて音声信号とされ，一方，「該モード選択装置が命令入力モードに設定される時，」命令信号を送る回路にて「該モード選択装置の送出する」命令信号を「増幅し並びに」サウンドインタフェースとは異なるインタフェースを介してコンピュータ装置「のバス」に送り，受信した無線信号がコンピュータ装置に送られて命令信号とされるような構成とすることは，当業者が容易になし得たことである。
　
＜相違点３について＞
　無線信号を受信して復調する装置において，ろ波手段及び増幅手段を具えることは周知（例えば，特開平７−４６１８４号公報の段落【００２５】〜【００２６】，特開２００２−９６５４号公報の段落【０００８】〜【０００９】を参照。）であり，受信した無線信号を復調する回路に，固定チャンネル或いは周波数調整式となすチューナー（選局手段）を具えることも周知（例えば，特開２００２−３５８１９５号公報の段落【００３７】，【００３９】，特開２００２−９６５４号公報の段落【０００８】〜【０００９】を参照。）であり，これら手段をどのような順序で接続するかは，当業者が適宜なし得る設計的事項であることを考慮すると，引用発明及び周知技術に基づいて，「無線音声信号受信モジュール」は，「該無線信号受信回路の受信した無線信号をろ波及び増幅するろ波及び増幅回路」を具え，信号復調回路において「該ろ波及び増幅回路の送出する」音声信号を復調し，「並びに復調後の信号をモード選択装置に送」り，さらに，「信号復調回路に接続されて信号復調回路の復調した音声信号を固定チャンネル或いは周波数調整式となすチューナーを具え」た構成とすることは，当業者が容易に想到し得たことである。
　
  
　そして，本願補正発明のように構成したことによる効果も，上記引用発明及び周知技術から予測できる程度のものである。
　
　
　したがって，本願補正発明（本件補正後の請求項２に記載された発明）は，上記引用発明及び周知技術に基づいて当業者が容易に発明をすることができたものであるから，特許法第２９条第２項の規定により特許を受けることができない。
　
　
５．補正却下の決定の理由についてのむすび 
  
　以上のとおり，本願補正発明は上記「４．当審の判断」で示したとおり，特許出願の際独立して特許を受けることができないから，本件補正は，平成１８年法律第５５号改正附則第３条第１項によりなお従前の例によるとされる同法による改正前の特許法第１７条の２第５項において準用する同法１２６条第５項の規定に違反するものであり，同法１５９条第１項において読み替えて準用する同法第５３条第１項の規定により却下すべきものである。
　
　
第３．本願発明
　
　平成１８年６月２８日付け手続補正は上記のとおり却下されたので，本願の請求項１に係る発明（以下，「本願発明」という。）は，平成１７年９月１６日付け手続補正により補正された特許請求の範囲の請求項１に記載された事項により特定される，以下のとおりのものである。
　
「コンピュータ装置にサウンドインタフェースが設けられてコンピュータ装置のバスに接続され，該サウンドインタフェースに音声周波信号入力端が設けられた無線音声信号受信モジュールを配置したコンピュータ装置において，
　該サウンドインタフェースの音声周波信号入力端が無線音声信号受信モジュールに接続されて少なくとも一つの無線音声信号発射装置の発射した無線信号を受信し，該無線音声信号受信モジュールにモード選択装置が設けられ，該モード選択装置が音声入力モードに設定される時，受信した無線信号が該サウンドインタフェースに送られて音声信号とされ，該モード選択装置が命令入力モードに設定される時，受信した無線信号がコンピュータ装置に送られて命令信号とされることを特徴とする，無線音声信号受信モジュールを配置したコンピュータ装置。」
　
　
第４．当審の判断
　
１．引用発明
　
　原査定の拒絶の理由に引用された引用刊行物に関する記載事項は，上記「第２．２．引用刊行物に記載された発明」に記載したとおりである。
　
　
２．対比・判断
　
　本願発明は，上記「第２．１．本件補正の内容」で検討した本願補正発明の「無線音声信号受信モジュール」について，「該無線音声信号受信モジュールが，無線音声信号発射装置の発射した無線信号をアンテナ装置を介して受信する無線信号受信回路と，該無線信号受信回路の受信した無線信号をろ波及び増幅するろ波及び増幅回路と，該ろ波及び増幅回路の送出する音声信号を復調し，並びに復調後の信号をモード選択装置に送る信号復調回路と，該モード選択装置の送出する命令信号を増幅し並びにコンピュータ装置のバスに送る命令信号増幅回路と，該モード選択装置の送出する音声信号を増幅し並びにコンピュータ装置のサウンドインタフェースに送る音声信号増幅回路と，を具え」，「信号復調回路に接続されて信号復調回路の復調した音声信号を固定チャンネル或いは周波数調整式となすチューナーを具えた」との限定を省いたものである。
　
　そうすると，本願発明の構成要件を全て含み，さらに他の構成要件を付加したものに相当する本願補正発明が，上記「第２．４．当審の判断」に記載したとおり，上記引用発明及び周知技術に基づいて，当業者が容易に発明をすることができたものであるから，本願発明も，同様の理由により，上記引用発明及び周知技術に基づいて，当業者が容易に発明をすることができたものである。
　
　
第５．むすび 
  
　以上のとおり，本願発明（平成１７年９月１６日付け手続補正により補正された請求項１に係る発明）は上記引用発明及び周知技術に基づいて，当業者が容易に発明をすることができたものであるから，特許法第２９条第２項の規定により特許を受けることができない。
　
　したがって，本願は，他の請求項について論及するまでもなく，拒絶すべきものである。
　
　よって，上記の通り審決する。